(57)【要約】【課題】日除け部の開度を全開から全閉までのあいだで微調整することができる日除けフードを提供すること。【解決手段】可撓性を有する合成樹脂からなる複数の実質的に同じ大きさの帯状の形状を有し、かつ遮光性を有するフードピースからなる日除けフードであって、前記複数のフードピースの両端において、当該複数のフードピースが当該複数のフードピースを挿通する軸によって旋回自在に支持され、前記複数のフードピースに前記軸を中心とする円弧に沿って長孔が設けられ、前記複数のフードピースの隣り合う２つのフードピースのうちの一方のフードピースの前記円弧の半径が他方のフードピースの前記円弧の半径より大きく、前記複数のフードピースの隣り合う２つのフードピースのうちの一方のフードピースにピンが設けられ、当該ピンが他方のフードピースに設けられた長孔と係合することを特徴としている。【選択図】図１
0003110840.tif 000002
【実用新案登録請求の範囲】
【請求項１】
可撓性を有する合成樹脂からなる複数の実質的に同じ大きさの帯状の形状を有し、かつ遮光性を有するフードピースからなる日除けフードであって、
前記複数のフードピースの両端において、当該複数のフードピースが当該複数のフードピースを挿通する軸によって旋回自在に支持され、
前記複数のフードピースに前記軸を中心とする円弧に沿って長孔が設けられ、
前記複数のフードピースの隣り合う２つのフードピースのうちの一方のフードピースの前記円弧の半径が他方のフードピースの前記円弧の半径より大きく、
前記複数のフードピースの隣り合う２つのフードピースのうちの一方のフードピースにピンが設けられ、当該ピンが他方のフードピースに設けられた長孔と係合する
ことを特徴とする日除けフード。
【請求項２】
前記複数のフードピースが、それぞれの両端においてホルダーに狭持されてなる請求項１記載の日除けフード。
【請求項３】
前記フードピースの少なくとも一方の面に紫外線をカットする塗料が塗布された請求項１または２記載の日除けフード。
【請求項４】
前記フードピースの少なくとも一方の面に熱外線をカットする塗料が塗布された請求項１または２記載の日除けフード。
【請求項５】
前記軸が軸受によって支持されてなること請求項１、２、３または４記載の日除けフード。
【請求項６】
前記複数のフードピースのうち、最外側のフードピースが前記軸受に螺着されてなる請求項１、２、３、４または５記載の日除けフード。
【請求項７】
前記長孔の周縁に複数の山部が設けられ、該山部と山部とのあいだの谷部に係合する板バネが前記ピンに設けられてなる請求項１、２、３、４、５または６記載の日除けフード。
【請求項８】
前記軸受に、当該日除けピースを車両に取りつけるためのブラケットが設けられてなる請求項１、２、３、４、５、６または７記載の日除けフード。
【考案の詳細な説明】
【技術分野】
【０００１】
本考案は日除けフードに関する。さらに詳しくは、可撓性を有する合成樹脂からなる複数の実質的に同じ大きさの帯状の形状を有し、かつ遮光性を有するフードピースからなる日除けフードに関する。
【背景技術】
【０００２】
雨、雪あるいは日射しから車椅子利用者を守るための、車椅子に簡単に着脱でき且つ折り畳みができ、使用中に蒸し暑くならず、かつ透明カバーが曇ることもない構造が簡単な車椅子用防風雨・日除け装置を提供するものとして、例えば特許文献１には、日光を遮る日除けカバーの下部に透明の防風雨カバーを延設した防風雨・日除けカバーを複数のアーチ型フレームで支持固定し、アーチ型フレームのうち、下端のアーチ型フレームには雨水排水樋が形成され、アーチ型フレームはフレーム支持体に水平位置から車椅子の背面まで回動自在に支持され、フレーム支持体には車椅子のハンドルにフレーム支持体を取り付けるフレーム支持体取付部を設け、車椅子の側面に取り付けられる側面カバー及び車椅子の正面に取り付けられる正面カバーを備えた車椅子用防風雨・日除け装置が開示されている。
【０００３】
特許文献１の車椅子用防風雨・日除け装置の場合、車椅子に取り付ける防風雨・日除けカバーは、車椅子のハンドルに着脱自在のクランプにより挟持される。また、車椅子への防風雨・日除けカバーの取り付け手段は、クランプのほか、蝶ナットとボルトの組合せ等のように簡単に着脱できる周知の取付手段を利用すればよいとしている。防風雨・日除けカバーは、日光を遮る日除けカバーの下部に透明樹脂シートからなる防風雨カバーを延設している。日除けカバーの上端、日除けカバーと防風雨カバーとの継ぎ目および防風雨カバーの下端には、アーチ型フレームが設けられている。アーチ型フレームの下端は、フレーム支持体に回動自在に枢着し、防風雨・日除けカバーが折り畳めるようにされている。日除けカバーと防風雨カバーとの境界のアーチ型フレームと防風雨カバーの下端のアーチ型フレームとは、連結部材で連結し、防風雨カバーの下端のアーチ型フレームを前記継ぎ目のアーチ型フレームまで折り畳んだ状態を維持できるようにしている。
【０００４】
防風雨カバーの下端のアーチ型フレームは、完全に開いた時、水平状態となり、防風雨・日除けカバーが車椅子利用者の胸部以上を覆うとともに、アーチ型フレームが膝を超えて足先近くまで延びるようにしている。また、アーチ型フレームの両側の間隔は、折り畳んだ防風雨・日除けカバーが車椅子の背面でハンドル間に収まる間隔としている。
【０００５】
つぎに、特許文献２に開示された発明は、陽射しの入射角度に関係なく、赤ちゃんを直接日光から保護することのできる乳母車用の幌を提供することを目的としており、この目的を達成するために、特許文献２に開示された赤ちゃんへの光の照射を遮るための乳母車用の幌は、上方に凸となる湾曲形状を有し、前方に突出する位置と、内側または外側に収容される位置とが選択可能に設けられる日除け部材を備えている。そして、かかる日除け部材を採用することにより、陽射しの入射角度に応じて、幌による斜光面積が拡大し、赤ちゃんを直接日光から確実に遮ることを可能にし、赤ちゃんの頭（脳）を守ることを可能としている。また、幌のみによって直接日光から遮ることが可能な場合には、日除け部材を幌の内側または外側に折り曲げるようにして収容することが可能であるため、赤ちゃんの視界が確保され赤ちゃんの快適性を失うことがないとしている。
【０００６】
また、特許文献２記載の発明の実施態様において、日除け部材が、幌の前方に突出する位置においては、日除け部材の外面が上方に凸となる湾曲形状を有し、幌の内側または外側に収容される位置においては、日除け部材が思案点を超えて幌の内側または外側に折り返されることにより、日除け部材の外面が下方に凹または上記日除け部材の内面が上方に凸となる湾曲形状を有するように設けられる。
【０００７】
特許文献２記載の発明の実施態様において、幌は、前後に配置されそれぞれ上方に凸となる湾曲形状を有する、前側フレーム部材および後側フレーム部材と、前側および後側フレーム部材の間に配置される幌部材とを有し、日除け部材は上記前側フレーム部材に設けられる。
【０００８】
さらに特許文献２記載の発明の実施態様において、日除け部材は複数設けられ、幌に対して並んで配置される。また、日除け部材は、幌の一方端から他方端にかけて連続して設けられ、日除け部材には開口部が設けられる。また日除け部材は、幌に対して着脱可能に設けられ、日除け部材は、薄板状の弾性部材からなる。
【０００９】
特許文献２記載の発明では、叙上の構成を採用することにより、薄板状の弾性部材からなる日除け部材が、上方に凸となる湾曲形状を有し、またこの弾性部材が前側フレーム部材に設けられることにより、幌の前方に突出する位置においては日除け部材の外面が上方に凸となる湾曲形状を有し、幌の内側または外側に収容される位置においては、日除け部材が思案点を超えて、日除け部材が弾性的に変形しながら日除け部材の外面が下方に凹または日除け部材の内面が上方に凸となる湾曲形状を有するように、幌の内面または外面に添ってその形態を変化させながら収容されるため、幌の前方に突出する位置と、幌の内側または外面に収容される位置とにおいて、弾性部材の形状を安定させることができるとしている。そして、日除け部材は比較的容易にその形態を変形させることができるため、容易に幌の前方に突出する位置と、幌の内側または外面に収容される位置との選択を行なうことができるとしている。
【００１０】
特許文献２記載の発明では、前側フレーム部材および後側フレーム部材には、比較的剛性のある部材を用いることが好ましいとしており、塩化ビニル性等の樹脂材料が用いられることが例示されている。また、幌部材の材質としては、斜光性、紫外線遮断性を有するものであればどのような材質の適用も可能であるとしている。さらに、日除け部材の材質としては、斜光性、紫外線遮断性を有するものであればどのような材質の適用も可能であるとし、弾性を有する樹脂製の薄板材を用いることが好ましいとしており、塩化ビニル性等の樹脂材料が例示されている。
【００１１】
特許文献３に記載された発明は、幼児に対する入射光の影響を最少にする効果的な日除けを提供することを目的としており、入射される輻射の有害な影響を防護することができる日除けであって、２９０〜４００ｎＭの範囲内および７００ｎＭ以上の入射輻射を少なくとも実質的に吸収および／または反射する、少なくとも実質的に透明可撓性の材料から形成される日除けである。
【００１２】
また、特許文献３には、プラスチックフィルムとして形成されると共に、ＵＶ輻射およびＩＲ輻射を防護する材料を、実質的に可視性を損なうことなく含有する日除け、透明可撓性のプラスチックフィルムが更に別の透明フィルムを接着または積層される形式の日除けであって、前記別のフィルムが２９０−４００ｎＭ範囲内の入射輻射を少なくとも実質的に吸収する物質を含有する日除け、可撓性のプラスチックフィルムからなる形式の日除けであって、前記フィルムの表面上に、２９０−４００ｎＭ範囲内のおよび７００ｎＭ以上の入射光を少なくとも実質的に吸収および／または反射する材料を配置する日除け、および７００ｎＭ以上の範囲内の入射輻射を少なくとも実質的に反射する少なくとも実質的に透明な可撓性材料から形成される日除けが開示されている。
【００１３】
【特許文献１】特許第２９２８２０８号明細書
【特許文献２】特開２００２−１８７５５４号公報
【特許文献３】特表２００１−５２１４６６号公報
【考案の開示】
【考案が解決しようとする課題】
【００１４】
前述の特許文献１〜３に開示された発明の場合、日除け部の開度を全開から全閉までのあいだで微調整することができないという欠点がある。
【００１５】
そこで、本考案は、日除け部の開度を全開から全閉までのあいだで微調整することができる日除けフードを提供することを目的とする。
【課題を解決するための手段】
【００１６】
本考案の日除けフードは、可撓性を有する合成樹脂からなる複数の実質的に同じ大きさの帯状の形状を有し、かつ遮光性を有するフードピースからなる日除けフードであって、
前記複数のフードピースの両端において、当該複数のフードピースが当該複数のフードピースを挿通する軸によって旋回自在に支持され、
前記複数のフードピースに前記軸を中心とする円弧に沿って長孔が設けられ、
前記複数のフードピースの隣り合う２つのフードピースのうちの一方のフードピースの前記円弧の半径が他方のフードピースの前記円弧の半径より大きく、
前記複数のフードピースの隣り合う２つのフードピースのうちの一方のフードピースにピンが設けられ、当該ピンが他方のフードピースに設けられた長孔と係合する
ことを特徴としている。
【００１７】
また、前記複数のフードピースが、それぞれの両端においてホルダーに狭持されてなることが好ましい。
【００１８】
また、前記フードピースの少なくとも一方の面に紫外線をカットする塗料が塗布されたことが好ましい。
【００１９】
また、前記フードピースの少なくとも一方の面に熱線をカットする塗料が塗布されたことが好ましい。
【００２０】
また、前記軸が軸受によって支持されてなることが好ましい。
【００２１】
また、前記長孔の周縁に複数の山部が設けられ、該山部と山部とのあいだの谷部に係合する板バネが前記ピンに設けられてなることが好ましい。
【００２２】
また、前記複数のフードピースのうち、最外側のフードピースが前記軸受に螺着されてなることが好ましい。
【００２３】
また、前記軸受に、当該日除けピースを車両に取りつけるためのブラケットを設けることができる。
【考案の効果】
【００２４】
本考案によれば、日除け部の開度を全開から全閉までのあいだで微調整することができる日除けフードを提供することができる。
【考案を実施するための最良の形態】
【００２５】
添付図面を参照しながら本考案の日除けフードを詳細に説明する。
【００２６】
図１は本考案の一実施の形態にかかわる日除けフードを示す側面説明図、図２は図１の日除けフードの正面説明図である。
【００２７】
図１〜２を参照すると、本実施の形態の日除けフード１は、第１フードピースＦ１、第２フードピースＦ２、第３フードピースＦ３、第４フードピースＦ４および第５フードピースＦ５から構成されている。本実施の形態では、日除け部の開度を全開から全閉までのあいだで微調整し得るようにする観点から、フードピースの数を５としたが、５に限られることはない。３つのフードピースからなるものでも６以上（たとえば、６、７または８）のフードピースからなるようにすることもできる。
【００２８】
第１フードピースＦ１、第２フードピースＦ２、第３フードピースＦ３、第４フードピースＦ４および第５フードピースＦ５は、可撓性と遮光性とを有する合成樹脂材料から製造され、実質的に同じ大きさを有し、かる帯状の形状を有している。第１フードピースＦ１、第２フードピースＦ２、第３フードピースＦ３、第４フードピースＦ４および第５フードピースＦ５の少なくとも一方の面に紫外線をカットする塗料を塗布すると、紫外線がカットされるので遮光性が一層向上するという利点がある。また、第１フードピースＦ１、第２フードピースＦ２、第３フードピースＦ３、第４フードピースＦ４および第５フードピースＦ５の少なくとも一方の面に熱線をカットする塗料を塗布すると、熱線がカットされるので遮光性が一層向上するという利点がある。紫外線および熱線をカットする塗料として、たとえばＮＴＴアドバンステクノロジ（株）のアットシールド・クリア（赤外線反射塗料（９６％カット））などをあげることができる。
【００２９】
図２には、第１フードピースＦ１、第２フードピースＦ２、第３フードピースＦ３、第４フードピースＦ４および第５フードピースＦ５が、それぞれ第１ホルダーＨ１、第２ホルダーＨ２、第３ホルダーＨ３、第４ホルダーＨ４および第５ホルダーＨ５に狭持されているものが示されている。このように、フードピースをホルダーに狭持させるようにすると、ホルダーだけが剛性を備えたものであればよい（すなわち、ホルダーの素材としては、金属材料、または塩化ビニルなどの樹脂材料合成樹脂材料でもよい）という利点がある。この利点には、さらにフードピース自体の剛性を低くしたもの（すなわち、厚さを小さくしたもの）が使用できるという副次的な利点がある。しかし、本考案は、図示されたものに限られることはなく、ホルダーを用いないものも本考案に含まれることはいうまでもない。その場合、第１フードピースＦ１、第２フードピースＦ２、第３フードピースＦ３、第４フードピースＦ４および第５フードピースＦ５自体が剛性を備えている必要がある。
【００３０】
このように、本実施の形態においては、第１フードピースＦ１、第２フードピースＦ２、第３フードピースＦ３、第４フードピースＦ４および第５フードピースＦ５は、第１ホルダーＨ１、第２ホルダーＨ２、第３ホルダーＨ３、第４ホルダーＨ４および第５ホルダーＨ５を介して第１ホルダーＨ１、第２ホルダーＨ２、第３ホルダーＨ３、第４ホルダーＨ４および第５ホルダーＨ５を挿通する軸Ａを支持する軸受Ｂによって旋回自在に支持されている。なお、本実施の形態においては、第１フードピースＦ１（最外側のフードピース）が軸受Ｂに螺着されている。
【００３１】
第１フードピースＦ１、第２フードピースＦ２、第３フードピースＦ３および第４フードピースＦ４には、それぞれ軸Ａを中心とする円弧に沿って長孔Ｃ１、Ｃ２、Ｃ３およびＣ４が設けられている。長孔Ｃ１、Ｃ２、Ｃ３およびＣ４が沿う円弧の半径Ｒ１、Ｒ２、Ｒ３およびＲ４は、Ｒ１＞Ｒ２＞Ｒ３＞Ｒ４の関係を満たしている。すなわち、隣り合う２つのフードピースのうちの一方のフードピースの長孔が沿う円弧の半径が他方のフードピースの長孔が沿う円弧の半径より大きい。
【００３２】
また、第２フードピースＦ２には長孔Ｃ１と係合するピンＰ１が設けられ、第３フードピースＦ３には長孔Ｃ２と係合するピンＰ２が設けられ、第４フードピースＦ４には長孔Ｃ３と係合するピンＰ３が設けられ、第５フードピースＦ５には長孔Ｃ４と係合するピンＰ４が設けられている。すなわち、隣り合う２つのフードピースのうちの一方のフードピースにピンが設けられ、当該ピンが他方のフードピースに設けられた長孔Ｃ１、Ｃ２、Ｃ３およびＣ４と係合する。
【００３３】
叙上のように構成される本考案の日除けフード１は、図１（全開の状態）において、たとえば第１フードピースＦ５だけを矢印Ｘの方向に旋回させて第４フードピースＦ４に重ねるようにして閉じたり、さらにその状態で第４および第５フードピースＦ４、Ｆ５を第３フードピースＦ３に重ねるようにして閉じたり、さらに第３、第４および第５フードピースＦ３、Ｆ４、Ｆ５を第２フードピースＦ２に重ねるようにして閉じることができ（開放する場合はこの操作の逆）、日除け部の開度を全開から全閉までのあいだで微調整することができる。
【００３４】
また、図２を参照すると、前記軸受Ｂに、日除けピース１を車両（車椅子、乳母車など）の車体（ハンドルまたは肘掛などを含む）２に自由に取りつけるためのブラケット３をネジ５により設けることができる。
【００３５】
さらに、図３を参照しながら、前述の日除けフードの変形例を説明する。第２フードピースＦ２には長孔Ｃ１と係合するピンＰ１が設けられ、このピンＰ１にＢ字状に折り曲げられた板バネＳＰが固着されている。長孔Ｃ１の周縁には、複数の山部Ｗが形成され、該山部Ｗと山部Ｗとの間に谷部Ｖが形成されている。そして、当該谷部ＶにＢ字状の板バネＳＰの張り出した部位が係合する。このようにすることにより、各フードピースは確実に開閉ができるとともに、開度の微調整が可能になるという利点がある。
【図面の簡単な説明】
【００３６】
【図１】本考案の一実施の形態にかかわる日除けフードを示す側面説明図である。
【図２】図１の日除けフードの正面説明図である。
【図３】本発明の日除けフードの変形例を示す説明図である。
【符号の説明】
【００３７】
１  日除けフード
２  車体
３  ブラケット
Ａ  軸
Ｂ  軸受
Ｆ１  第１フードピース
Ｆ２  第２フードピース
Ｆ３  第３フードピース
Ｆ４  第４フードピース
Ｆ５  第５フードピース
Ｈ１  第１ホルダー
Ｈ２  第２ホルダー
Ｈ３  第３ホルダー
Ｈ４  第４ホルダー
Ｈ５  第５ホルダー
Ｐ１、Ｐ２、Ｐ３、Ｐ４、Ｐ５  ピン
ＳＰ  板バネ
【図１】
0003110840.tif 000003
【図２】
0003110840.tif 000004
【図３】
0003110840.tif 000005